(57)【特許請求の範囲】
【請求項１】
手のひら面および裏面を有する多用途手袋であって、前記手のひら面が布帛材料に接着されたエラストマー材料で形成される三次元モールド成形部分を備え、親指部分および少なくとも１つの指部分を有し、厚さの異なる２つまたはそれ以上の隣接するエラストマーの領域を前記モールド成形部分内に備え、前記モールド成形部分が、前記手のひら内に凹形状を形成するように前記手のひらの中央が前記手のひらの縁部から沈められる予め湾曲させられた構成で形成され、裏面が１つまたは複数の指関節に対応する領域の上の布帛材料上にエラストマー材料で形成されるモールド成形部分と、エラストマー材料をもたない布帛材料から形成される布帛部分と、から構成され、前記手のひら面上のモールド成形部分の前記エラストマー材料と前記裏面上のモールド成形部分の前記エラストマー材料とは、一体に形成されており、前記手袋の周りに最大３６０°連続して延びる、多用途手袋。
【請求項２】
前記モールド成形部分の前記少なくとも１つの指部分が、前記手のひらから前記指先端へと予め湾曲させられる、請求項１に記載の多用途手袋。
【請求項３】
前記親指部分および少なくとも１つの指部分のうちの少なくとも１つが、前記親指および少なくとも１つの指のうちの少なくとも１つの先端を覆うキャップ内で終端し、さらに、前記親指部分および前記少なくとも１つの指部分が、前記親指および少なくとも１つの指のうちの少なくとも１つの周囲の５０％以上に形成されている、請求項１に記載の多用途手袋。
【請求項４】
手のひら面が布帛材料上にエラストマー材料で形成される三次元モールド成形部分を備え、親指部分および少なくとも１つの指部分を有し、前記モールド成形部分が、０．８ｍｍから１０．８ｍｍの厚さを有し、前記エラストマー材料が、０．４ｍｍから１０．０ｍｍの範囲内の異なる厚さの２つまたはそれ以上の領域を備え、裏面が１つまたは複数の指関節に対応する領域の上の布帛材料上にエラストマー材料で形成されるモールド成形部分と、エラストマー材料をもたない布帛材料から形成される布帛部分と、から構成され、前記手のひら面上のモールド成形部分の前記エラストマー材料と前記裏面上のモールド成形部分の前記エラストマー材料とは、一体に形成されており、手袋の周りに最大３６０°連続して延びる、多用途手袋。
【請求項５】
エラストマー材料が、１０から２５のショアデュロメータ硬度を有する、熱可塑性硬質ゴム（ＴＰＶ）および熱可塑性ゴム（ＴＰＲ）からなる群から選択される材料を含む、請求項４に記載の多用途手袋。
【請求項６】
前記エラストマー材料が、１５のショアデュロメータ硬度を有するＴＰＲである、請求項５に記載の多用途手袋。
【請求項７】
前記布帛材料が、親水性のニット材料である、請求項４に記載の多用途手袋。
【請求項８】
前記モールド成形部分が、前記エラストマー材料が０．４ｍｍから１．０ｍｍの厚さを有する第１の領域を有する、請求項４に記載の多用途手袋。
【請求項９】
前記モールド成形部分が、前記エラストマー材料が１．０ｍｍから２．０ｍｍの厚さを有する第２の領域を有する、請求項８に記載の多用途手袋。
【請求項１０】
前記モールド成形部分の前記第２の領域が、少なくとも１つの指の先端、前記親指の先端、１つまたは複数の指関節、前記手のひらの一部、および前記人差し指と前記親指との間の鞍部のうちの少なくとも１つを含む、請求項９に記載の多用途手袋。
【請求項１１】
前記布帛材料が、前記モールド成形部分内から前記手袋の前記モールド成形部分を超えて延びる、請求項４に記載の多用途手袋。
【請求項１２】
前記モールド成形部分が、前記手袋の周りで３６０°続く、請求項４に記載の多用途手袋。
【請求項１３】
前記モールド成形部分が、前記手袋の前記裏面上の前記エラストマー材料をもたない布帛部分を取り囲む、請求項４に記載の多用途手袋。
【請求項１４】
三次元モールド成形部分を有する手のひら面と裏面とを備える多用途手袋の製造方法であって、
ａ．布帛材料を含む未完成手袋を、手の少なくとも一部の形の第１の金型部分上に配置するステップと、
ｂ．少なくとも第２の金型部分を、前記第１の金型部分上の前記未完成手袋とともにキャビティを作り出すように前記第１の金型部分とモールド成形係合させるステップと、
ｃ．布帛材料に接着されたエラストマー材料を備えるモールド成形部分を形成するために、前記キャビティ内にエラストマー材料を注入するステップであって、前記エラストマー材料が前記第１の金型部分と対向する前記布帛材料の前記面上に注入され、前記モールド成形部分の前記エラストマー材料は、前記手袋の前記手のひら面上の親指部分と少なくとも１つの指部分と、前記手袋の前記裏面上の１つまたは複数の指関節と、を連続して覆うために一体に形成されている、ステップとを含む方法。
【請求項１５】
ｄ．前記第２の金型部分を前記第１の金型部分から非係合状態にするステップと、
ｅ．前記完全に形成された多用途手袋を前記第１の金型部分から取り外すステップとをさらに含む、請求項１４に記載の方法。
【請求項１６】
前記第２の金型部分が、異なる厚さの２つまたはそれ以上の隣接するエラストマー領域を備えるモールド成形部分を形成するための要素を備える、請求項１４に記載の方法。
【請求項１７】
前記第２の金型部分が、ゴツゴツした部分、くぼみ、へこみ、ｗ字形部材、ｖ字形部材、凹凸を有するループ、孔および浮き出された把持細部からなる群から選択される１つまたは複数の凹凸を有する把持部分とともにモールド成形部分を形成するための要素を備える、請求項１４に記載の方法。
【請求項１８】
前記モールド成形部分が、前記手袋の周りに最大３６０°連続して延びる、請求項１４に記載の方法。
【請求項１９】
前記モールド成形部分が、前記手袋の少なくとも１つの指または親指の周囲を５０％より大きく覆う、請求項１４に記載の方法。
【請求項２０】
前記モールド成形部分が、前記手袋の前記手のひら面から前記裏面へと延びる、前記親指と人差し指との間の鞍部を備える、請求項１４に記載の方法。
【請求項２１】
ステップ（ｂ）が、第３の金型部分を、前記第１の金型部分上の前記未完成手袋とともにキャビティを作り出すように前記第１の金型部分とモールド成形係合させるステップをさらに含む、請求項１４に記載の方法。
【発明の詳細な説明】
【技術分野】
【０００１】
関連出願の相互参照
本出願は、２００７年７月１６日出願の米国仮特許出願第６０／９５０，０２８号の優先権を主張する２００８年７月１６日出願の米国特許出願第１２／２１８，５６２号の一部継続出願である、２００９年１０月１２日出願の米国特許出願第１２／５７７，２７３号の一部継続出願である。これらの全体を参照により本明細書に組み込む。
【０００２】
本発明は、作業、スポーツ、および運動競技、園芸などのための多用途手袋の分野に関し、より詳細には、着用者の手の保護を改善するためのエラストマー補強を有する多用途手袋に関する。
【背景技術】
【０００３】
多用途手袋は、園芸、建設などの分野、あるいは現場、製造または園芸施設での一般的な作業、スポーツまたは運動競技、あるいは単に、家の周辺での作業または遊びにおいて用いられる。これらの手袋は一般に、把持部分を含み、この把持部分は、使用者の手から物品が滑り出すことを防ぎ、切り傷、擦り傷、および水膨れなど使用者の皮膚への損傷を防ぎ、対象物を回転させまたは握るときにより良好な把持をもたらす。手袋の把持部分は一般に、天然または合成ゴムなどエラストマーの把持表面を手袋に適用するためにナイロン手袋をエラストマー材料に浸漬することにより、ニットのナイロン手袋に適用される。この工程は、手袋の密度を高め、かつ、水分および汚れを吸収する傾向があり洗浄が困難な布帛部分を残す。
【０００４】
本発明の目的は、最も磨耗しやすい１つまたは複数の領域内に継目のない補強を有する、多用途手袋を作り出すことである。継目を最小化することに加え、さらなる材料または当て物が磨耗および／または衝撃を最も受けやすい領域内に施され、この当て物もまた、好ましくは継目なしで含まれる。これに関して、想定される最終用途に応じて、衝撃および磨耗から保護するための戦略的な領域内で用いられる天然または合成ゴムを含むエラストマー材料の量を調整することが可能である。最終的には、そのような当て物を使用することにより、より長持ちしより快適な手袋を使用者に提供する。さらに本発明は、１つまたは複数の改良された把持表面をさらに設けるために、戦略的領域におけるエラストマー材料内に様々な凹凸を設ける能力を備える。
【先行技術文献】
【特許文献】
【０００５】
【特許文献１】米国仮特許出願第６０／９５０，０２８号
【特許文献２】米国特許出願第１２／２１８，５６２号
【特許文献３】米国特許出願第１２／５７７，２７３号
【発明の概要】
【発明が解決しようとする課題】
【０００６】
したがって本発明の目的は、典型的な浸漬されるナイロンニットの多用途手袋の改善である、多用途手袋を作り出すことである。
【０００７】
本発明の別の目的は、ニット多用途手袋の密度を増大させることを必要とせずに、さらなる耐久性と、様々な手のひらの厚さを有する能力とを提供することである。
【０００８】
本発明のさらなる目的は、密度を生み出すための、布帛上のエラストマー材料の吸収への依存をなくすことである。
【０００９】
本発明のさらに別の目的は、戦略的に配置される当て物および／または耐磨耗性区域ならびに強化された把持区域を有する、多用途手袋を提供することである。
【００１０】
本発明のさらに別の目的は、場合によっては、通常過剰な量の水分および汚れを吸収するニットの裏地をもたない、エラストマー材料を含む手のひら構造を提供することである。この構造は、手袋を洗濯するのではなく湿った布で単純に拭くことができることにより、手袋をより容易に洗浄することを可能にする。
【００１１】
本発明の別の目的は、通常補強を必要とする領域、すなわち人差し指および親指、ならびに、場合によっては人差し指と親指の間の領域およびそれぞれの指の付け根と股の真下の領域内で、磨耗に対する最大の保護を作り出すことである。
【００１２】
本発明のさらに別の目的は、磨耗および衝撃を最も受けやすい領域、すなわち親指の付け根および指の真下の手のひら領域内でエラストマー材料を盛り上げることにより、磨耗および衝撃からの保護を提供することである。
【００１３】
本発明の別の目的は、手袋の特性、および最も具体的には把持および可撓性を改善するために、様々な領域内で異なるエラストマー材料を有するように変えることができる、モールド成形構成要素を作り出すことである。たとえば、より軟らかいエラストマー材料を、磨耗しにくい領域において可撓性をもたらすために用いることができ、より強く凹凸のあるエラストマー材料を、把持に関する領域内で用いることができる。
【００１４】
本発明のさらなる目的は、着用者の手が閉じるときのひだを最小限にするために、少なくとも部分的にカップ状の形状を作り出すように手のひら部分の中心が手のひら部分の縁部から沈む予め湾曲させられた凹状の手のひら部分を有する、より自然な感覚のモールド成形された手袋を作り出すことである。この予め湾曲させられた手のひら部分はまた、静止した手がより自然な形状となるように、指へと続きまたは延びる。
【００１５】
本発明のさらに別の目的および利点は、本発明の精神および範囲から逸脱することなく、明細書から、ある程度明らかかつ／または明白になる。
【課題を解決するための手段】
【００１６】
これらおよびその他の目的は、布帛材料上にモールド成形されるエラストマー材料で形成される三次元部分を備える、手のひら面を有する本発明の多用途手袋によって達成され、このモールド成形部分は、異なる厚さの２つまたはそれ以上の領域を備える。モールド成形された手のひら部分は、耐磨耗性のための厚くされた領域、快適さのための当て物をされた領域、運動を改善するための薄くされた領域を含む伸縮溝、および把持を改善するための凹凸を有する把持領域のうちの１つまたは複数を有することができる。モールド成形された手のひら部分は、特定の材料の異なる特性を利用するために、様々なエラストマー材料で形成することができる。
【００１７】
いくつかの用途において損傷を受けやすくなることがある、使用者の指関節または手の裏を覆う保護を形成するように、手袋の裏面がモールド成形部分を備えることも企図される。モールド成形された裏面は、手袋のモールド成形された前面と別個とすることができ、またはそれと一体に形成することができ、かつ、モールド成形部分が、着用者の手の周りで最大３６０°継目なく延びるように形成することができる。
【００１８】
多用途手袋のモールド成形部分は、１片の耐熱性布帛を、手の少なくとも一部の形状で形成された第１の金型部分に接触させて配置することと、対応する第２のまたはさらなる（１つまたは複数の）金型部分を第１の金型部分と金型係合させることと、モールド成形部分を形成するように、第１の金型部分に対向する布帛材料の面上の金型部分間のモールド成形キャビティ内にエラストマー材料を注入することとによって形成することができる。第１の金型部分が手の少なくとも一部の形状であるという場合、これは、金型部分が、手の少なくとも一部の三次元形状で形成されることを意味する。
【００１９】
手の少なくとも一部の形状の第１の金型部分が、潜在的な使用者の手袋のサイズに対して様々なサイズで形成されること、ならびに、対応する第２のおよび／または１つまたは複数のさらなる金型部分が、凹凸を有する１つまたは複数の領域、１つまたは複数の厚くされた領域、１つまたは複数の当て物をされた領域、および１つまたは複数の伸縮溝のうちの、１つまたは複数を備えることが予測される。好ましくは、金型内で用いられる耐熱性布帛は、エラストマー材料の吸収性を改善するためのニットの親水性材料である。
【００２０】
最も好ましくは、手の少なくとも一部の形状である金型上に配置される布帛は、手の少なくとも一部の三次元形状である第１の金型部分上に配置される手袋の形である。これは、布帛が一切れの布帛ではなく、平坦に置かれるときに２層の布帛を有する部分を少なくとも含むように、布帛が手袋の少なくとも一部に相当することを企図する。手袋の形の布帛が第１の金型部分上に配置されるとき、第１の金型部分は、第１の金型部分の少なくとも一部のそれぞれの面上に少なくとも１つの層を有する、手袋の少なくとも一部として形成された布帛内の開口部内へと挿入される。
【００２１】
三次元モールド成形部分の少なくとも一部を形成するために使用されるエラストマー材料は、好ましくは、約１０〜２５のデュロメータ硬度、および最も好ましくは約１５のデュロメータ硬度を有する、相対的に軟らかい熱可塑性ゴム材料である。内部に布帛があるモールド成形キャビティ内へと射出成形されるとき、エラストマー材料は、布帛の孔構造内へと吸収される。
【００２２】
布帛上のエラストマー材料の厚さが約０．５ｍｍから約３．０ｍｍの間となるように、エラストマー材料の厚さが制御されることも好ましい。これに関して、磨耗しやすいまたは緩衝を必要とする領域がより厚い場合でも、伸縮することが意図される領域、すなわち指の関節および手のひら内の折れ目における厚さが、可撓性を生み出すための隣接する領域に対して薄くされまたは低減されることが好ましい。そのような薄い層のエラストマー材料は、薄いエラストマー材料の物理的一体性を維持する多孔性布帛内にエラストマー材料を吸収させることによってのみ使用することができる。
【００２３】
当然、製造者のデザイン上の好みに基づいて、完成した手袋を作り出すために他のステップを用いることもできる。たとえば、何らかの特性をもたらすために手袋を材料に浸漬させるステップなど知られた工程ステップは、モールド成形された手のひら部分が布帛材料に接着される前または後のいずれかに用いることができる。
【００２４】
本発明は、同様の参照符号が同様の部分を指示する添付の図面を見ながら考慮すると、よりよく理解されるであろう。ただし図面は、本発明の好ましい実施形態を示すために提示されるに過ぎず、いかなる方法においても本発明を限定しない。
【図面の簡単な説明】
【００２５】
【図１】本発明による多用途手袋の手のひら面を示す正面図である。
【図２】図１の手袋を示す背面図である。
【図３】図１の手袋の手のひら面の把持部分の裏を示す図である。
【図４】浮き出された把持細部を有する、図１の手袋の手のひら把持部分の手のひら面を示す図である。
【図５】園芸手袋の実施形態の手のひら把持部分の内側を示す図である。
【図６】図５の把持部分を有する園芸手袋の手のひら面を示す図である。
【図７】図６の手袋の裏面を示す図である。
【図８】図５の手のひら把持部分の手のひら面を示す図である。
【図９】本発明による多用途手袋の好ましい実施形態の手のひら面を示す正面図である。
【図１０】図９の手袋を示す背面図である。
【発明を実施するための形態】
【００２６】
図１は、布帛材料に接着されたエラストマー材料で形成されたモールド成形部分４を有する、多用途手袋２の手のひら面を示す。図１に示す多用途手袋２の手のひら面はまた、モールド成形部分４を超える領域内に布帛材料１２を備えるが、そのような布帛材料１２は、本発明の手袋２の手のひら面の可視要素である必要はない。それにもかかわらず、モールド成形部分４を超える布帛材料１２が、隣接するモールド成形部分４を形成する布帛材料の連続であることが好ましい。
【００２７】
図２は、盛り上がり穴が開けられた保護形状が設けられた独立したモールド成形領域１４を有する、布帛材料１２を備える手袋２の裏面を示す。当然、指が手の裏と接合する指関節または手の裏自体を覆うモールド成形部分４または１４を含む、いかなるモールド成形部分を手袋２の裏面に形成することもできる。手袋２の裏面上の布帛材料１２は、好ましくは、手袋の手のひら面上の布帛材料１２を含む未完成手袋の一部として形成される。あるいは、手袋２の裏面上の布帛１２は、モールド成形された手のひら部分４または手のひら面の布帛材料１２のいずれかへと、手袋２の手のひら面に縫い付けることができる。手袋２をより良好に嵌め、使用中に使用者の手の上にしっかりと維持するために、モールド成形された手首ストラップ１６として示される閉鎖要素を設けることができる。
【００２８】
本発明の手袋２のモールド成形部分４は、好ましくは、図６、図８、および図９に示す浮き出された把持細部６、図４および図９に示す沈められた収縮溝８、ならびに、図４、図６、および図１０に示す盛り上がった凹凸を有する把持領域１０を有する。これに関して、図３〜図１０の実施形態のモールド成形部分４は、好ましくは、把持、耐久性、および補強をより良好にするための、盛り上がったまたは厚くされた凹凸を有する人差し指先端および親指先端として示される、盛り上がった凹凸を有する把持領域１０を備える。
【００２９】
手袋２のモールド成形部分４、あるいは手袋２の何らかのモールド成形部分４および／または１４は、好ましくは、およそ華氏４００℃の熱に耐えることができその上にエラストマー材料が射出成形される、耐熱性ニットの親水性布帛を用いて製作される。好ましくは、手の少なくとも一部の形状の第１の金型部分を含む金型と、少なくとも１つの対応する第２の金型部分は、その内部の布帛とともにモールド成形キャビティを作り出す。いかなる適当な親水性および耐熱性のニット布帛を布帛に用いることもできるが、ここで企図されるような本発明には、ナイロン材料を含む布帛材料が最も適することが見出されている。そのようなナイロンニットの親水性材料は、エラストマー材料が布帛１２の「孔」を貫通しその中へと引き込まれることにより布帛１２と接着するための、多孔構造を含む。
【００３０】
上記で提示したように、手の少なくとも一部の形状の金型部分は、単に手の一部の二次元の輪郭ではなく、手の少なくとも一部の三次元形状とすることができる。耐熱性布帛１２は、好ましくは、未完成手袋の形であり、すなわち、手の少なくとも一部を受けることができる手袋構造の少なくとも一部である。あるいは、より好ましくないが、耐熱性布帛１２は、モールド成形部分４の代替実施形態を示す図３〜図４および／または図５および図８に示すような、布帛材料１２に縫い付けられる手袋２のモールド成形部分４を形成する、輪郭付けされたエラストマー材料の形に切断することができる。
【００３１】
ただし、本発明の多用途手袋２は、最も好ましくは、布帛材料１２を含む未完成手袋を、手の少なくとも一部の形の第１の金型部分の上に配置すること、および、少なくとも１つの第２の金型部分を第１の金型部分とモールド成形係合させて、第１の金型部分上の未完成手袋とともにキャビティを作り出すことによって製造される。次いで、エラストマー材料がキャビティ内に注入されてモールド成形部分４を形成し、エラストマー材料は、第１の金型部分と対向する布帛材料１２の面に注入される。モールド成形部分４が形成されると、第２の金型部分が第１の金型部分と非係合状態にされ、完全に形成された多用途手袋２が第１の金型部分から取り外される。
【００３２】
浮き出された把持細部６、沈められた伸縮溝８、および盛り上がった凹凸を有する把持領域１０、ならびに孔２４、くぼみ、へこみなどに関しては、第２の金型部分がこれらの要素をモールド成形部分４内に形成するように適合されることが好ましい。
【００３３】
モールド成形部分４が手袋２の周りに最大３６０°継目なく延びる、最も好ましい実施形態のうちの１つでは、手袋の少なくとも一部の形の未完成手袋とともに第１の金型部分上にモールド成形キャビティを作り出すように、第２の金型部分および第３の金型部分を第１の金型部分とモールド成形係合させることができる。ここでは、第２の金型部分が、手袋２の手のひら面または裏面のうちの一方の少なくとも一部をモールド成形するようになされ、第３の金型部分が、手袋２の手のひら面または裏面のもう一方の一部をモールド成形するようになされることが企図される。
【００３４】
本発明におけるエラストマー材料の射出成形の方法により、エラストマー材料をもたない領域を手袋２の裏に選択的に残しながら、手袋２の両面、すなわち手のひら面および裏面にエラストマー材料を適用することが可能になる。これにより、手袋２の通気性が保証され、エラストマー材料をもたない開いた部分は、使用者が快適となるように、開口部内にメッシュまたは他の布帛を有することができる。好ましくは、図９および図１０に示すように、モールド成形部分４のエラストマー材料は、手袋２の裏の周りで継目なく続き、最も好ましくは、手袋２の少なくとも一部の周りで３６０°継目なく続く。
【００３５】
金型の三次元部分、すなわち図３および図４の実施形態における親指および人差し指、ならびに図５および図８〜図１０の実施形態におけるそれぞれの指のために、人差し指および親指を含めた指がそれらの形状を保持することを助けることを保証する、ステイを挿入することができる。ただし、予め湾曲させられた凹状構成となるようになされた、モールド成形部分４の指および手のひらを含めた手袋２の形状付けされたモールド成形部分は、好ましくは、第１の金型部分が三次元形状でありまたは手の少なくとも一部を形成する、対応する金型部分によって形成される。好ましい対応する金型部分を用いるとき、エラストマー材料は、手袋２の１つまたは複数のモールド成形された部分４および／または１４を形成するように、手の少なくとも一部の形状の第１の金型部分の反対側の布帛１２の面上に注入される。
【００３６】
いずれにしても、モールド成形されるエラストマー材料は、親指および人差し指または指の先端全体、ならびに、使用者の親指および指の周囲の少なくとも５０％またはそれより大きい、覆われるべき親指および指の周囲の大部分を覆うためのキャップを含めた、金型内の布帛のすべての領域に接着されることが意図される。
【００３７】
場合によっては、使用者の手のひら、親指、および指と接触するいかなる部分も裏当てされるように、薄い裏当て材料を、布と第１の金型部分との間に、またはエラストマー材料を射出する前の布帛として挿入することができる。次いで手袋の布帛１２を、必要に応じて手袋２のそれぞれの指および補強領域の輪郭上に縫い付けることができる。
【００３８】
モールド成形された手のひら部分４内の布帛が、手袋２の領域全体を含む未完成手袋の形でない場合、モールド成形部分４は次いで、手袋２の残りの部分に取り付けられる。ただし好ましくは、図１〜図４における親指の裏および人差し指の裏ならびに図５〜図８におけるすべての指を含めたモールド成形された指の裏面上に見ることができる布帛１２は、縫い付けられないが、モールド成形工程中にエラストマー材料と接着する布帛１２の連続部である。
【００３９】
図１〜図４、図９、および図１０では、モールド成形部分４は、防水構造を可能な限り作り出すために、親指および人差し指の先端を覆うキャップを形成するように親指および人差し指の先端の周りにモールド成形され、かつ、指のまちに隣接する指の下方部分上までを含む指の下の領域内で手のひらを横断してモールド成形される。金型はまた、使用者が移植ごて、熊手などをより効果的に把持することを可能にするように把持を強化するために、人差し指と親指との間で盛り上がり、少なくとも親指の付け根の周りから少なくとも人差し指の付け根の周りへと鞍部２８を形成し、モールド成形された手のひら部分４の一部として手袋２の手のひら面から手袋２の裏面へと延びる。伸縮溝８は、好ましくは、可撓性を改善するために、手のひら領域内および指を含むモールド成形された手のひら部分４上の手の接合部の少なくとも一部の領域内に配置される。耐摩耗性のための盛り上がった部分１０または当て物は、鞍部２８の領域内と同様に、親指および人差し指の先端に含まれる。
【００４０】
用いられるエラストマー材料に関しては、（１つまたは複数の）モールド成形部分４および／または１４あるいはそれらの一部を形成する際に、様々な組成のエラストマー材料を用いることができる。たとえば、濡れたときにより滑りにくいエラストマー材料を、親指あるいは１つまたは複数の指の先端ならびに鞍部２８にて用いることができ、それにより、手袋２が濡れた状態でより万能となることを可能にする。さらに、モールド成形部分４の一領域内で耐摩耗性が特に重要である場合、より高密度の材料をその領域において用いることができる。同様に、当て物をされた領域１０など、ある領域において衝撃耐性が特に重要である場合、より低密度のエラストマー材料が好ましいことがある。そのような変形形態の適当な応用例は、当業者のデザイン上の好みに十分に含まれる。
【００４１】
それにもかかわらず、熱可塑性硬質ゴム（ＴＰＶ）および熱可塑性ゴム（ＴＰＲ）は、本発明の手袋２の（１つまたは複数の）モールド成形部分４および／または１４に使用されるエラストマー材料を形成し、本発明の手袋２の（１つまたは複数の）モールド成形部分４および／または１４に使用されるエラストマー材料として働くための好ましい材料であることが見出されている。エラストマー材料の耐久性と可撓性の間のバランスは、本発明を用いるときは、可撓性に傾けることができることが見出されている。そのため、耐久性よりも可撓性がより望ましい領域内の布帛に接着されるときは、約１５から約２５、かつ最も好ましくは約１５のショアデュロメータ硬度を有するエラストマー材料を非常に薄い厚さで用いることができる。
【００４２】
図５〜図１０に示す実施形態では、モールド成形成分４は、好ましくは、手のひら面全体および指の側部の大部分を含めた指の周囲を、少なくとも５０％、および好ましくは５０％より大きく覆う。図９および図１０に示す実施形態の手のひら部分４’は、好ましくは、着用者の手が閉じるときのひだを最小限にするように凹状構成に予め湾曲させられる。モールド成形部分４はまた、好ましくは、把持力を増大し使用者の保護を高めるために、凹凸を有するループ、ゴツゴツした表面、くぼみへこみなど、浮き出された把持細部６を含む。手袋２の裏部分は、着用者の手の容易な挿入および取外しを可能にしながらぴったりと快適に嵌まるように、手袋ストラップ１６ではなく伸縮可能な材料１８の形で示される閉鎖要素を備えることができる。
【００４３】
もちろん、図５〜図１０の手袋２のモールド成形部分４はまた、所定のカップ形状、伸縮溝８、または凹凸を有する領域６を作り出すために、予め湾曲させられた手のひら部分４’の湾曲より大きいまたは小さい湾曲の、当て物をされたまたは盛り上がった部分１０を含む、いかなる様々なパターンの形状およびデザインでモールド成形するために修正することもできる。これらの特徴部分の利点は、同様に、快適さ、外見上の価値、園芸などいくつかの用途にとって重要となることがある防水、ならびに、決定的に重要な衝撃領域において当て物を提供すること、手袋２の決定的に重要な領域においてさらなる把持および／または耐摩耗性を提供することである。
【００４４】
本発明の手袋２は、上記で説明したように、様々な布帛およびエラストマー材料を用いて製造することができる。様々な材料に加えて、本発明の手袋２は、モールド成形部分の全体および様々な領域の両方で、様々な厚さを有することができる。
【００４５】
より詳細には、好ましくは親水性のニット布帛である、本発明の手袋を形成するために用いられる布帛材料は、いかなる適当な厚さとすることもできるが、好ましくは約０．４ｍｍから約１．８ｍｍの厚さであり、最も好ましくは約０．５ｍｍから約０．８ｍｍの厚さである。同様に、エラストマー材料は、布帛材料上にいかなる適当な厚さでモールド成形することもできるが、エラストマー材料が、約０．４ｍｍから約１０．０ｍｍの厚さを有することが好ましい。これに関して、エラストマー材料の上限は適当な用途に対応させることができ、電気ドリルからジャックハンマーまであらゆるものとともに使用するための、電気絶縁から振動減衰などの特性を必要とする用途のために、最大約４．０ｍｍ、約５．０ｍｍ、約６．０ｍｍ、約７．０ｍｍ、および約１０．０ｍｍの厚さを含む。したがって、布帛材料と接着するエラストマー材料を有するモールド成形部分の厚さは、約０．８ｍｍから約１０．８ｍｍの好ましい厚さを有するであろう。
【００４６】
それにもかかわらず、より一般的な多用途では、モールド成形部分４におけるエラストマー材料の厚さは、約０．５ｍｍ厚から約３．０ｍｍ厚であり、最も好ましくは、約０．５ｍｍから約１．７ｍｍである。これらの厚さを用いると、布帛材料と接着するモールド成形部分４内の好ましい手袋２の全体の厚さは、約０．８ｍｍ厚から約３．１ｍｍ厚であり、最も好ましくは、約１．０ｍｍ厚から約２．３ｍｍ厚さである。
【００４７】
図９および図１０の好ましい実施形態では、モールド成形された予め湾曲させられた手のひら部分４’は、ここでも同様に手を閉じるときのひだを最小化するために、指を含めた全体的なカップ形状を形成するように指へと続く。可撓性、着用性、および緩衝性を最大限にするための段階的な厚さを有する、盛り上がった部分１０および伸縮溝８もまた、この実施形態に組み込まれる。最も好ましくは、手のひらの周りおよび手のひらの中、指の先端と関節の間、指と手のひらの間、手袋の裏の周り、および伸縮溝８の中などに示される、モールド成形された第１の領域２０を形成する図９の実施形態は、約０．４ｍｍから約１．０ｍｍ、および好ましくは約０．５ｍｍから約０．８ｍｍのエラストマー材料で形成される。約０．５ｍｍから約０．６ｍｍの布帛とともに使用される場合、モールド成形された第１の領域２０内のモールド成形された手のひら部分４の全体の厚さは、好ましくは、約１．０ｍｍから約１．６ｍｍである。これにより、モールド成形された第１の領域２０において、最大の可撓性が使用者に提供される。
【００４８】
指の先端、鞍部２８上、人差し指と親指の間にあり、かつ／または手のひらと指の間の領域を横断する、図９および図１０の実施形態のモールド成形された第２の領域２２は、盛り上がった中間領域１０を備える。モールド成形された第２の領域２２は、約１．２ｍｍから約１．６ｍｍ、好ましくは約１．４ｍｍのエラストマー材料で形成される。約０．５ｍｍから約０．６ｍｍの布帛とともに使用される場合、モールド成形された第２の領域２２内のモールド成形部分４の全体の厚さは、好ましくは、約１．７ｍｍから約２．２ｍｍである。これにより、感覚を犠牲にせずに、さらなる耐摩耗性およびさらなる保護がもたらされる。
【００４９】
手のひらの中および／または手袋２の裏面上の指の節を横断する、図９および図１０の実施形態のモールド成形された第３の領域２４は、さらなる盛り上がった領域１０’で構成される。モールド成形された第３の領域２４は、約１．６ｍｍから約２．０ｍｍ、好ましくは約１．８ｍｍのエラストマー材料で形成される。約０．５ｍｍから約０．６ｍｍの布帛とともに使用される場合、モールド成形された第３の領域２４内のモールド成形部分４の全体の厚さは、好ましくは約２．１ｍｍから約２．６ｍｍである。これにより、外傷的な衝撃を最も受けやすい使用者の手の部分の、最大限の保護がもたらされる。
【００５０】
本発明は大いに、モールド成形工程において用いられる適当な布帛１２で裏打ちされる場合、ショアデュロメータ硬度約１５の低さで約０．４ｍｍおよび好ましくは約０．５ｍｍの薄さのモールド成形されたエラストマー材料を利用することができる、モールド成形された手のひら部分４を有する手袋の今まで知られていない利点をもたらす。この形成および可撓性の進歩により、良好な耐久性とともに最高の可撓性を使用者が必要とする場合に、手袋のモールド成形部分４としての用途が可能になる。
【００５１】
最も好ましくは、図９および図１０は、手袋２の周りで最大３６０°継目なく延び、好ましくは、手袋２への空気の流れ、したがって通気性を可能にする開口部を有する、モールド成形部分４を有する手袋２を提供する。たとえば図１０に示すように、モールド成形部分４は、指領域内の通気性のために、手袋２の裏面上で開いた布帛部分１２を取り囲む。モールド成形部分４によって取り囲まれる、エラストマー材料をもたないそのような布帛部分は、必要に応じて手袋２の手のひら領域内へと組み込むことができる。
【００５２】
当然、上記で説明したように、様々な領域２０、２２、および２４内のモールド成形部分４に用いられるエラストマー材料は、様々な物理特性を有することができる。これらは、密度、粘着性、可撓性などの差を含む。
【００５３】
図９および図１０にも示すように、手袋２のエラストマーの部分は、エラストマー材料を貫通して延びる孔２４を含むことができる。これらの孔２４は、使用者の快適さを高める手袋２の内側と外側の間の通気性をもたらすだけでなく、手袋２の内部で孔２４を密閉する使用者の指と、手袋２の外部で保持される物との間に真空が作り出される場合、真空把持ももたらすことができる。
【００５４】
さらに、図９および図１０の手袋２のモールド成形部分４は、濡れたまたは滑りやすい状態における把持の改善を生み出すために、ゴツゴツした表面、くぼみ、へこみ、水分を水平および垂直の両方に移動させる「Ｖ」字形部材および／または「Ｗ」字形部材の形の、把持部材６を備える。図面に示すように、しかし限定ではなく、把持細部６は、上記で説明したような真空効果を用いることにより把持をさらに高めるために、くぼみまたは孔２４をその上に有することができる。
【００５５】
たとえば本発明の手袋２は、好ましくは、スポーツおよび運動競技用に手袋を使用するために、盛り上がった凹凸をもつ把持領域１０を有するモールド成形部分４を指の先端および親指先端に備える。盛り上がった領域１０は、ボールを捕えるため、かつ／またはラケット、バット、ロープ、パドルなどを握るために、さらなる把持および抵抗を生み出す。最も好ましくは、指の先端および親指先端の盛り上がった凹凸を有する把持領域１０上の凹凸を有する表面は、把持および抵抗をさらに改善する。
【００５６】
さらに、当業者には明らかとなるように、本発明の手袋２は、上記で説明した構成要素の様々な組み合わせでデザインすることができる。たとえば、図１〜図２の手袋２は、手首ストラップ１６ではなく伸縮可能な材料１８を用いて作ることができ、または、すべての指の前および側部を覆うモールド成形部分４を備えることができる。同様に、図示の実施形態は、人差し指および親指のみ、またはすべての指および親指を覆うモールド成形部分４を備えるが、親指および指を、いかなる数および組み合わせで覆うこともできることを理解されたい。
【００５７】
上記説明に含まれまたは添付の図面に示されるすべての事項は、例示的であり限定ではないと解釈されるように、上記で説明した物、上記説明から明らかになった物、および上記構造のいくつかの変更を、本発明の精神および範囲から逸脱することなく行うことができることがわかるであろう。これに関して、かつ限定ではなく、説明されたいくつかの実施形態において示されるいくつかの特徴部分は、本発明の範囲を逸脱することなく、単一またはいかなる数の組み合わせで適用することもできる。
【００５８】
添付の特許請求の範囲は、本明細書で説明された全体的かつ具体的な特徴部分のすべてを網羅することが意図され、本発明の範囲内のすべての表現は、言語的に、それらに包含されることも理解されたい。
【図１】
0006042209.tif 000002
【図２】
0006042209.tif 000003
【図３】
0006042209.tif 000004
【図４】
0006042209.tif 000005
【図５】
0006042209.tif 000006
【図６】
0006042209.tif 000007
【図７】
0006042209.tif 000008
【図８】
0006042209.tif 000009
【図９】
0006042209.tif 000010
【図１０】
0006042209.tif 000011